【手続補正書】
【提出日】平成25年6月13日(2013.6.13)
【手続補正１】
【補正対象書類名】明細書
【補正対象項目名】０００６
【補正方法】変更
【補正の内容】
【０００６】
本発明の熱伝導性シリコーングリース組成物は、
（Ａ）平均組成式：
Ｒ１ａＳiＯ(４−ａ)/２
（式中、Ｒ１は一価炭化水素基であり、ａは１.８〜２.２の数である。）
で表され、２５℃で液状のオルガノポリシロキサン  １００質量部、
（Ｂ）下記（Ｂ１）成分〜（Ｂ３）成分からなる熱伝導性充填剤  ８００〜６,０００質量部、
（Ｂ１）平均粒子径が１５〜５５μｍである球状の酸化アルミニウム粉末  ｛（Ｂ）成分中、４０〜８０質量％｝
（Ｂ２）平均粒子径が２〜１０μｍである球状酸化アルミニウム粉末  ｛（Ｂ）成分中、５〜４５質量％｝
（Ｂ３）平均粒子径が１μｍ以下である酸化アルミニウム粉末  ｛（Ｂ）成分中、５〜２５質量％｝
（Ｃ）一般式：
【化１】
2012007057.tif 000001
｛式中、Ｒ１は同一または異なる一価炭化水素基であり、Ｘは同一または異なる、一価炭化水素基もしくは一般式：
−Ｒ２−ＳiＲ１ｂ(ＯＲ３)(３−ｂ)
（式中、Ｒ１は前記と同じであり、Ｒ２は酸素原子またはアルキレン基であり、Ｒ３はアルキル基であり、ｂは０〜２の整数である。）
で表されるアルコキシシリル含有基であり、ｍ、ｎはそれぞれ０以上の整数である。｝
で表されるオルガノポリシロキサン  １０〜３００質量部
から少なくともなることを特徴とする。
【手続補正２】
【補正対象書類名】明細書
【補正対象項目名】００１１
【補正方法】変更
【補正の内容】
【００１１】
このような（Ａ）成分としては、例えば、分子鎖両末端トリメチルシロキシ基封鎖ジメチルポリシロキサン、分子鎖両末端ジメチルビニルシロキシ基封鎖ジメチルポリシロキサン、分子鎖両末端メチルフェニルビニルシロキシ基封鎖ジメチルポリシロキサン、分子鎖両末端トリメチルシロキシ基封鎖ジメチルシロキサン・メチルフェニルシロキサン共重合体、分子鎖両末端ジメチルビニルシロキシ基封鎖ジメチルシロキサン・メチルフェニルシロキサン共重合体、分子鎖両末端トリメチルシロキシ基封鎖ジメチルシロキサン・メチルビニルシロキサン共重合体、分子鎖両末端ジメチルビニルシロキシ基封鎖ジメチルシロキサン・メチルビニルシロキサン共重合体、分子鎖両末端ジメチルビニルシロキシ基封鎖メチル(３,３,３−トリフルオロプロピル)ポリシロキサン、分子鎖両末端シラノール基封鎖ジメチルポリシロキサン、分子鎖両末端シラノール基封鎖ジメチルシロキサン・メチルフェニルシロキサン共重合体、式：ＣＨ３ＳiＯ３/２で表されるシロキサン単位と式：(ＣＨ３)２ＳiＯ２/２で表されるシロキサン単位からなるオルガノポリシロキサン、式：Ｃ６Ｈ５ＳiＯ３/２で表されるシロキサン単位と式：(ＣＨ３)２ＳiＯ２/２で表されるシロキサン単位からなるオルガノポリシロキサン、式：(ＣＨ３)３ＳiＯ１/２で表されるシロキサン単位と式：ＣＨ３ＳiＯ３/２で表されるシロキサン単位と式：(ＣＨ３)２ＳiＯ２/２で表されるシロキサン単位からなるオルガノポリシロキサン、式：(ＣＨ３)３ＳiＯ１/２で表されるシロキサン単位と式：(ＣＨ３)２(ＣＨ２＝ＣＨ)ＳiＯ１/２で表されるシロキサン単位と式：ＣＨ３ＳiＯ３/２で表されるシロキサン単位と式：(ＣＨ３)２ＳiＯ２/２で表されるシロキサン単位からなるオルガノポリシロキサン、およびこれらの２種以上の混合物が挙げられる。特に、本組成物を基材から除去する必要性がある場合に、該組成物を容易に除去できることから、（Ａ）成分は、（Ａ１）アリール基を有さないオルガノポリシロキサン、例えば、ジメチルポリシロキサンと、（Ａ２）アリール基を有するオルガノポリシロキサン、例えば、メチルフェニルポリシロキサンもしくはジメチルシロキサン・メチルフェニルシロキサン共重合体との混合物であることが好ましい。この場合、（Ａ）成分中の前記（Ａ２）成分の含有量は１０〜５０質量％の範囲内であることが好ましい。
【手続補正３】
【補正対象書類名】明細書
【補正対象項目名】００１４
【補正方法】変更
【補正の内容】
【００１４】
（Ｃ）成分は本組成物の取扱作業性を低下させないで、（Ｂ）成分を高充填するためのオルガノポリシロキサンであり、一般式：
【化２】
2012007057.tif 000002
で表される。式中、Ｒ１は同一または異なる一価炭化水素基であり、前記と同様の一価炭化水素基が例示され、好ましくは、アルキル基、アルケニル基、アリール基であり、特に好ましくは、メチル基、ビニル基、フェニル基である。また、式中、Ｘは同一または異なる、一価炭化水素基もしくは一般式：
−Ｒ２−ＳiＲ１ｂ(ＯＲ３)(３−ｂ)
で表されるアルコキシシリル含有基である。Ｘの一価炭化水素基としては、前記Ｒ１と同様の一価炭化水素基が例示され、好ましくは、アルキル基、アルケニル基、アリール基であり、特に好ましくは、メチル基、ビニル基、フェニル基である。また、Ｘのアルコキシシリル含有基において、式中、Ｒ１は一価炭化水素基であり、前記と同様の一価炭化水素基が例示される。また、式中、Ｒ２は酸素原子またはアルキレン基であり、Ｒ２のアルキレン基としては、エチレン基、プロピレン基、ブチレン基が例示される。また、式中、Ｒ３はアルキル基であり、メチル基、エチル基、プロピル基が例示され、好ましくは、メチル基である。また、式中、ｂは０〜２の整数であり、好ましくは、０である。
【手続補正４】
【補正対象書類名】明細書
【補正対象項目名】００２０
【補正方法】変更
【補正の内容】
【００２０】
さらに、本組成物には、本発明の目的を損なわない限り、その他任意の成分として、（Ｅ）一般式：
Ｒ５ｅＳi(ＯＲ６)(４−ｅ)
で表されるシラン化合物又はその部分加水分解縮合物を含有してもよい。この（Ｅ）成分は、（Ｃ）成分と同様、取扱作業性を低下させないで、（Ｂ）成分を高充填するための成分である。式中、Ｒ５は一価炭化水素基、エポキシ基含有有機基、メタクリル基含有有機基、又はアクリル基含有有機基である。Ｒ５の一価炭化水素基としては、メチル基、エチル基、プロピル基、ブチル基、ヘキシル基、デシル基、オクタデシル基等の直鎖状アルキル基；イソプロピル基、ターシャリーブチル基、イソブチル基等の分岐鎖状アルキル基；シクロヘキシル基等の環状アルキル基；ビニル基、アリル基、ブテニル基、ペンテニル基、ヘキセニル基、ヘプテニル基等のアルケニル基；フェニル基、トリル基、キシリル基等のアリール基；ベンジル基、フェネチル基等のアラルキル基；３,３,３−トリフルオロプロピル基、３−クロロプロピル基等のハロゲン化アルキル基が例示される。また、Ｒ５のエポキシ基含有有機基としては、３−グリシドキシプロピル基、２−(３,４−エポキシシクロヘキシル)エチル基が例示される。また、Ｒ５のメタクリル基含有有機基としては、３−メタクリロキシプロピル基が例示される。また、Ｒ５のアクリル基含有有機基としては、３−アクリロキシプロピル基が例示される。また、式中、Ｒ６はアルキル基であり、前記Ｒ３と同様のアルキル基が例示される。また、式中、ｅは１〜３の整数であり、好ましくは、１または２であり、特に好ましくは、１である。
【手続補正５】
【補正対象書類名】特許請求の範囲
【補正対象項目名】請求項１
【補正方法】変更
【補正の内容】
【請求項１】
（Ａ）平均組成式：
Ｒ１ａＳiＯ(４−ａ)/２
（式中、Ｒ１は一価炭化水素基であり、ａは１.８〜２.２の数である。）
で表され、２５℃で液状のオルガノポリシロキサン  １００質量部、
（Ｂ）下記（Ｂ１）成分〜（Ｂ３）成分からなる熱伝導性充填剤  ８００〜６,０００質量部、
（Ｂ１）平均粒子径が１５〜５５μｍである球状の酸化アルミニウム粉末  ｛（Ｂ）成分中、４０〜８０質量％｝
（Ｂ２）平均粒子径が２〜１０μｍである球状酸化アルミニウム粉末  ｛（Ｂ）成分中、５〜４５質量％｝
（Ｂ３）平均粒子径が１μｍ以下である酸化アルミニウム粉末  ｛（Ｂ）成分中、５〜２５質量％｝
（Ｃ）一般式：
【化１】
2012007057.tif 000003
｛式中、Ｒ１は同一または異なる一価炭化水素基であり、Ｘは同一または異なる、一価炭化水素基もしくは一般式：
−Ｒ２−ＳiＲ１ｂ(ＯＲ３)(３−ｂ)
（式中、Ｒ１は前記と同じであり、Ｒ２は酸素原子またはアルキレン基であり、Ｒ３はアルキル基であり、ｂは０〜２の整数である。）
で表されるアルコキシシリル含有基であり、ｍ、ｎはそれぞれ０以上の整数である。｝
で表されるオルガノポリシロキサン  １０〜３００質量部
から少なくともなる熱伝導性シリコーングリース組成物。
【手続補正６】
【補正対象書類名】特許請求の範囲
【補正対象項目名】請求項５
【補正方法】変更
【補正の内容】
【請求項５】
さらに、（Ｅ）一般式：
Ｒ５ｅＳi(ＯＲ６)(４−ｅ)
（式中、Ｒ5は一価炭化水素基、エポキシ基含有有機基、メタクリル基含有有機基、又はアクリル基含有有機基であり、Ｒ6はアルキル基であり、ｅは１〜３の整数である。）
で表されるシラン化合物またはその部分加水分解縮合物を、（Ａ）成分１００質量部に対して１〜１００質量部含有する、請求項１記載の熱伝導性シリコーングリース組成物。